(57)【特許請求の範囲】
【請求項１】
刈取部（３）の前方に斜設される作業姿勢の穀稈引起装置（２）を、上部取付部（４３）の取付けを解除した状態で刈取フレーム（９）に設けた下部取付部（３２）の回動部（５３）を支点に前方回動させたメンテナンス姿勢に切換回動自在にしたコンバインの穀稈引起装置において、
前記回動部（５３）を前記刈取フレーム（９）に対し作業姿勢の取付位置から前側に向けて移動自在に設け、前記穀稈引起装置（２）を前側に移動した状態で前記回動部（５３）を支点にメンテナンス姿勢に切換回動自在に構成すると共に、
前記穀稈引起装置（２）の前記回動部（５３）を有する支持杆（５２）を、前記刈取フレーム（９）に設けた支持ブラケット（５１）に、前側に向け上向き方向にスライド自在に取付支持したことを特徴とするコンバインの穀稈引起装置。
【発明の詳細な説明】
【技術分野】
【０００１】
本発明はコンバインの穀稈引起装置に関する。
【背景技術】
【０００２】
従来、刈取部の前部に刈り取り条数に対応して斜設した複数の穀稈引起装置を、上部取付部の取付けを解除した状態で刈取フレーム側の下部取付部の横軸部（回動部）を支点に前側に向けて回動させることにより、斜設状態の作業姿勢からメンテナンス作業姿勢に切り換え、刈刃及び穀稈掻込搬送体等の詰まり穀稈の除去、或いは清掃，点検，修理等のメンテナンス作業を行い易くするようにしたコンバインは既に公知である（例えば特許文献１。）。
【特許文献１】実開昭５９−４４２２８公報
【発明の開示】
【発明が解決しようとする課題】
【０００３】
上記特許文献１で示されるコンバインは、作業姿勢の穀稈引起装置を横軸部の位置で回動させるので、メンテナンス姿勢にしたとき穀稈引起装置の下部に突出する引起爪が後方に位置する刈刃及び穀稈掻込搬送体等に近接し、両者の間を狭くしてメンテナンス作業を行い難くする欠点がある。
また穀稈引起装置を上部取付部の取付けを解除し横軸部を支点に回動させるとき、引起爪の下端部は横軸部を中心とする円弧を描いて下降しながら後方に移動するため、引起爪が地面に近接し地表に存在する切り株や雑草或いは土塊等に接当し引起爪の破損を生じ易い欠点がある。また上記引起爪の接当を回避しようとして刈取部を上昇させると、引起爪と切り株等の接当を防止することができるが、刈取部を上昇させた状態でのメンテナンス作業は作業位置が高くなること、及び作業中に刈取部の不慮の下降が心配される等の問題がある。
【課題を解決するための手段】
【０００４】
上記課題を解決するために本発明のコンバインの穀稈引起装置は、刈取部３の前方に斜設される作業姿勢の穀稈引起装置２を、上部取付部４３の取付けを解除した状態で刈取フレーム９に設けた下部取付部３２の回動部５３を支点に前方回動させたメンテナンス姿勢に切換回動自在にしたコンバインの穀稈引起装置において、前記回動部５３を前記刈取フレーム９に対し作業姿勢の取付位置から前側に向けて移動自在に設け、前記穀稈引起装置２を前側に移動した状態で前記回動部５３を支点にメンテナンス姿勢に切換回動自在に構成すると共に、前記穀稈引起装置２の前記回動部５３を有する支持杆５２を、前記刈取フレーム９に設けた支持ブラケット５１に、前側に向け上向き方向にスライド自在に取付支持したことを特徴としている。
【発明の効果】
【０００５】
以上のように本発明によれば、穀稈引起装置の回動部を作業姿勢の取付位置から前側に向けて移動して、刈刃等から離間させた位置で前方回動させることにより、穀稈引起装置の下部及び引起爪を刈刃等に接近させることなくメンテナンス姿勢にすることができるので、広い空間部を形成しメンテナンス作業を引起爪等に支障されることなく行い易くすることができる。
また刈取フレームに設けた支持ブラケットに対し、支持杆を前側に向けてスライド移動させることにより、穀稈引起装置を前側に向けて高く移動された回動部を支点として、簡単に回動することができると共に、引起爪を地表に存在する切り株等に接当させることなく、穀稈引起装置の前側回動をスムーズに行うことができる。
【発明を実施するための最良の形態】
【０００６】
本発明の一実施形態を図面に基づいて説明する。図１において符号１は、穀稈引起装置２を本発明に係わる取付構造によって刈取部３の前方に設けたコンバインである。このコンバイン１はクローラー式の走行装置１ａを備えた機体フレーム（走行機台）１ｂに、刈取部３と脱穀部５等の作業部を前後方向に配置し、刈取部３の後方で脱穀部５の右側に操縦部６と、穀粒排出オーガー７を備えたグレンタンク８を従来のものと同様の配置構成によって備えている。
【０００７】
この構成によりコンバイン１は、刈取部３で刈り取った植立穀稈を脱穀部５に供給して脱穀し、脱穀済の排稈は図示しない排藁カッター装置を経て、切断状態又は非切断の長藁状態のまま機外に排出する。また脱穀部５によって脱穀及び選別された穀粒を、グレンタンク８に収容して一連のコンバイン作業を行うことができる。
【０００８】
上記刈取部３について図２，図３を参照し説明する。この刈取部３は刈取フレーム９に従来のものと同様の配置構造によって、植立穀稈を分草する分草体１０及び前記穀稈引起装置２と、分草し引き起こされた起立穀稈を刈り取る刈刃１１、及び刈り取られた穀稈を中央部に掻き寄せて後方送りをする上下段の穀稈掻込搬送体１２，１３等の刈取作業部から構成される。尚、刈取フレーム９は後述する前処理部伝動ケース１９から伝動駆動される刈取作業部伝動ケース１５と、該刈取作業部伝動ケース１５の両側から上方及び前方に向けて一体的に設けられる前処理部支持フレーム２２と下部フレーム３１等からなる。
【０００９】
前処理部伝動ケース１９は、機体フレーム１ｂの前部に立設される支柱１６の軸支部１７に回動可能に軸支される回動筒１９ａを有しており、ユニバーサル伝動軸２０を介して刈取作業部伝動ケース１５に入力伝動することができる。
また前処理部伝動ケース１９は、穀稈掻込搬送体１２，１３から穀稈を引き継いで脱穀部５の図示しないフィードチェンに継送する扱深調節搬送体２１を伝動駆動している。
【００１０】
さらに、前処理部伝動ケース１９はその下面側と前面側に、刈取フレーム９の刈取作業部伝動ケース１５を回動可能に軸支する軸支部２２ａを有する前処理部支持フレーム２２と、刈取フレーム９の上方部位（図示例では後述する引起支持支柱２３）と係合具２５ａを介して係脱可能に連結する連結フレーム２５を一体的に設けている。上記前処理部支持フレーム２２の中途部は、機体フレーム１ｂに設けた油圧シリンダー２７に連結して支持される。
【００１１】
この構成により刈取フレーム９は、連結フレーム２５と前処理部支持フレーム２２によって剛体構造で枠組み支持され、軸支部１７を支点に油圧シリンダー２７の伸縮作動によって昇降回動することができる。そして、前記係合具２５ａによる連結を外した状態で油圧シリンダー２７を伸動させ前処理部支持フレーム２２を上昇させると、刈取部３は刈取フレーム９の先端部（分草体１０）を接地させた状態で、刈取作業部伝動ケース１５が軸支部２２ａを支点に回動し、図２の点線Ａで示すように機体に対し前傾された状態に姿勢変更することができる。
【００１２】
これによれば、刈取部３の穀稈引起装置２及び穀稈掻込搬送体１２，１３と、脱穀部５及び扱深調節搬送体２１との間を大きく離間させて広い空間部を簡単に形成することができるので、該空間部を介して詰まり穀稈や藁屑類の除去及び清掃並びに点検修理等のメンテナンス作業を容易に行うことができる。
またメンテナンス作業終了後は、油圧シリンダー２７を縮動し前処理部支持フレーム２２を下降させると、引起支持支柱２３が連結フレーム２５に近接するので、係合具２５ａによって両者を再び連結し、元の刈取部３に復帰させることができる。
【００１３】
次に図２〜図４を参照し穀稈引起装置２の取付構造について説明する。この穀稈引起装置２は、その上部を刈取作業部伝動ケース１５から上方に向けて一体的に立設した引起支持支柱２３の上部伝動ケース２９と、上部取付構造３０を介して着脱可能に取付固定し、且つ下部を刈取作業部伝動ケース１５から前側に向けて一体的に延出される下部フレーム３１に、下部取付構造３２を介して着脱及び姿勢変更自在に取付固定される。これにより穀稈引起装置２を図２の実線で示す斜設された作業姿勢から、点線Ｂ及び矢印で示す前側方向に回動移動させたメンテナンス姿勢にすることができる。
【００１４】
この穀稈引起装置２は従来のものと同様な構成により、ケース２ａの上部底壁に設けた軸受部３３に、引起爪３５を備えた引起チェン３６を巻き掛け駆動するスプロケット３７のスプロケット軸３９を軸支している。そして、スプロケット軸３９は軸端内に刻設されるスプライン溝孔（取付孔）４０を、上部伝動ケース２９に軸支される引起駆動軸４１のスプライン部に係脱可能に嵌挿することができる。
【００１５】
図２に示すように上部取付構造（上部取付部３０）は、引起駆動軸４１に対しスプロケット軸３９を係合した状態において、上部伝動ケース２９に一体的に設けた取付部４２に取付ネジ部４３を形成し、該取付部４２にケース２ａの上部を載置し上方から把持部付きの取付ネジ４５を取付ネジ部４３に螺装して締着することにより、穀稈引起装置２の上部を伝動可能に取付固定することができる。
【００１６】
下部取付構造（下部取付部３２）は図３，図４で示すように、ケース２ａの下部底壁から背後に向けて突設したブラケット５０と、下部フレーム３１に立設した支持ブラケット５１とを平面視でＬ字状の支持杆５２によって連結する構成となっている。
即ち、支持杆５２はＬ字状の横軸部をブラケット５０に挿入することにより穀稈引起装置２の回動部５３となし、且つ直杆状の縦杆部５５を支持ブラケット５１の筒体内にスライド自在に挿入している。
【００１７】
この支持ブラケット５１は、下部フレーム３１から立設される支持ブラケット片５６に、支持杆５２の縦杆部５５を所定の上向き角度θを有して前後移動調節可能に嵌挿支持し、穀稈引起装置２の下部を取付支持する下部取付部３２を構成している。
また縦杆部５５の前側位置には、支持ブラケット５１に接当し穀稈引起装置２の後方側移動を規制するストッパー５７を設けている。また支持ブラケット５１には、縦杆部５５の前後位置を調節固定する取付ネジ５９を設けている。
【００１８】
また図示例の分草体１０は、その分草体取付杆６０をパイプ材からなる下部フレーム３１の先端部に挿脱着脱可能に挿入し取付ネジ６１によって締着固定している。この構成により分草体１０は取付ネジ６１を緩めると、下部フレーム３１に分草体取付杆６０を挿入した状態で側方に向けて回動することができ、分草体１０を外側方に退避回動させた状態において、穀稈引起装置２を作業姿勢から分草体１０に支障されることなくメンテナンス姿勢への切り換えを行うことができる。
【００１９】
尚、図１，図２で示されるように穀稈引起装置２の側方には、側方カバー６２が設置されており、穀稈引起装置２のメンテナンス姿勢への切り換は予め側方カバー６２を取り外した状態で行うことができる。
また図示例のコンバイン１は２条刈り型の刈取部３を備え、左右一対の穀稈引起装置２を左右の下部フレーム３１と引起支持支柱２３にそれぞれ斜設しているが、多条刈り型の刈取部３の場合にはその条数に対応した適数の穀稈引起装置２が同様の取付構造によって設置される。さらに上部取付部３０は引起支持支柱２３への取付けに限ることなく、刈取フレーム９に設けた別部材から穀稈引起装置２を設けることもできる。
【００２０】
以上のように構成される刈取部３を有したコンバイン１は、穀稈引起装置２を上部取付部３０と下部取付部３２によって斜設した作業姿勢でコンバイン作業が行われ、作業終了時又は作業中途に必要とされる刈取部３のメンテナンス作業は、穀稈引起装置２を前方に移動し上方を前側に回動させたメンテナンス姿勢にすることによって行われる。
【００２１】
即ち、メンテナンス姿勢への切り換えは先ず分草体１０を退避回動姿勢に切り換え、取付ネジ４５及び取付ネジ５９を緩めた状態となし、下部取付部３２の支持杆５２を前側にスライド移動させるとき、スプロケット軸３９のスプライン溝孔（取付孔）４０を上部伝動ケース２９に軸支される引起駆動軸４１から前側に向けて引き抜いて取り外す。
このときスプロケット軸３９は支持杆５２の方向と略平行状のスプライン嵌合構造にしているので、上部伝動ケース２９から穀稈引起装置２への伝動を簡潔で廉価な構成にすることができると共に、上部取付部３０の伝動解除及び再組み付け等の係脱作業を、嵌合部のかじり等を伴うことなく簡単に行うことができる等の利点を有している。
【００２２】
次いで、穀稈引起装置２の下部を前側に引き移動することにより、支持杆５２の縦杆部５５を支持ブラケット５１から所望長さで引き出すことができる。これにより穀稈引起装置２の下部及び引起爪３５を共に作業姿勢位置から前側に向けて十分に移動させた状態で、後方の穀稈掻込搬送体１２，１３等から離間した位置で支持することができる。次いで穀稈引起装置２の上部を持って回動部５３を支点に前側に向けて回動すると、反転された穀稈引起装置２の上部を地面に接地させる位置まで大きく回動させたメンテナンス姿勢に切り換えることができる。
【００２３】
このとき回動部５３の下方で穀稈引起装置２から下向きに突出している引起爪３５は、穀稈引起装置２と共に回動部５３を支点に円弧を描いて回動し後側向きの姿勢になるが、穀稈引起装置２は前側に移動されているので、刈刃１１及び穀稈掻込搬送体１２，１３側と離間しメンテナンス作業用の空間部を形成することができる。従って、この空間部を介して詰まり穀稈や藁屑の除去等のメンテナンス作業を引起爪３５及び穀稈引起装置２に支障されることなく、能率よく簡単に行うことができる。
【００２４】
また穀稈引起装置２は下部取付部３２の支持杆５２と支持ブラケット５１によって上向きの移動角を有して支持されているので、穀稈引起装置２の下部を前側移動によって同時に上方に移動させ地面から離間させることができる。
従って、斜設される穀稈引起装置２が回動部５３を支点に前方回動するとき、下向きに突出している引起爪３５は回動部５３を中心とする円弧を描いて一時的に下降するが、穀稈引起装置２は予め上昇させた高い位置の回動部５３によって支持されているので、地表に存在する切り株や雑草また土塊等との接当を防止することができる。そして、穀稈引起装置２の前側回動を刈取部３を下降させて地面に接地させた低位置の安定状態において、作業姿勢からメンテナンス姿勢への回動及び復帰回動を切り株等に支障されることなくスムーズに行うことができる。
【００２５】
尚、この実施形態で下部取付部３２は、穀稈引起装置２の回動部５３を備えた支持杆５２を刈取フレーム９に設けた支持ブラケット５１に、前側に向けてスライド移動させる構成としたが、これに限ることなく支持ブラケット５１を刈取フレーム９に対し前後移動可能に設けた構成、或いは穀稈引起装置２の回動部５３と刈取フレーム９とをリンク機構によって取付支持した構造にすることもできる。
【図面の簡単な説明】
【００２６】
【図１】本発明に係わる穀稈引起装置を備えたコンバインの全体斜視図である。
【図２】図１の刈取部の構成を示す側面図である。
【図３】図２の穀稈引起装置の取付構造を示す側断面図である。
【図４】図３の下部取付構造の構成を示す斜視図である。
【符号の説明】
【００２７】
１    コンバイン
２    穀稈引起装置
３    刈取部
９    刈取フレーム
３２  下部取付部
４３  上部取付部
５１  支持ブラケット
５２  支持杆
５３  回動部
【図１】
0004847074.tif 000002
【図２】
0004847074.tif 000003
【図３】
0004847074.tif 000004
【図４】
0004847074.tif 000005